(57)【要約】  受信したダウンリンク制御情報（ＤＣＩ）に関連する１つまたは複数のプロパティに基づいてセル識別子が選択され、プロパティは、セル識別子を判断することのみに関連するのではない、ワイヤレス通信のための方法、装置、およびコンピュータプログラム製品が提供される。セル識別子は、無線リソース制御シグナリングを通して受信された複数のセル識別子から選択され得る。ＤＣＩのプロパティは、ダウンロード制御チャネルのタイプと、サブフレームのタイプと、ＤＣＩを与えるために使用されるＤＣＩフォーマットのタイプとを含み得る。
2015513878.tif 000002
【特許請求の範囲】
【請求項１】
ダウンリンク制御情報（ＤＣＩ）を含む信号を受信することと、
前記ＤＣＩに関連する１つまたは複数のプロパティに基づいて複数のセル識別子のうちの１つを選択することであって、前記１つまたは複数のプロパティが、セル識別子を判断することのみに関連するのではないことと、
を備える、ワイヤレス通信の方法。
【請求項２】
前記選択されたセル識別子に基づいて擬似ランダムシーケンス発生器を初期化することをさらに備える、請求項１に記載の方法。
【請求項３】
無線リソース制御（ＲＲＣ）シグナリングを介して前記複数のセル識別子を受信することをさらに備える、請求項１に記載の方法。
【請求項４】
前記ＤＣＩが拡張物理ダウンロード制御チャネル（ｅＰＤＣＣＨ）中で受信される、請求項１に記載の方法。
【請求項５】
前記ｅＰＤＣＣＨがｅＰＤＣＣＨスクランブリング識別子でスクランブルされ、前記選択することは、
前記ＤＣＩのフォーマットのタイプを判断することと、
前記ＤＣＩがタイプ１Ａフォーマットを有するとき、前記ｅＰＤＣＣＨスクランブリング識別子に基づいて前記選択されたセル識別子を選択することと、を含む、請求項４に記載の方法。
【請求項６】
前記選択することは、
前記ＤＣＩのフォーマットのタイプを判断することと、
前記ＤＣＩがタイプ１Ａフォーマットを有するとき、所定のセル識別子を選択することと、を含む、請求項４に記載の方法。
【請求項７】
前記選択することは、
前記ＤＣＩが受信されたサブフレームタイプを判断することと、
前記サブフレームがマルチメディアブロードキャストオーバー単一周波数ネットワーク（ＭＢＳＦＮ）サブフレームであるのか非ＭＢＳＦＮサブフレームであるのかを判断することであって、前記セル識別子が、少なくとも部分的に前記サブフレームタイプに基づいて選択されることと、を備える、請求項１に記載の方法。
【請求項８】
信号を受信することが、候補制御チャネル（ＣＣＥ）の少なくとも２つのセットのうちのＣＣＥの第１のセット中で前記ＤＣＩを受信することを含み、前記選択されたセル識別子は、少なくとも部分的に、前記ＤＣＩが受信されたＣＣＥの前記セットに基づいて選択される、請求項１に記載の方法。
【請求項９】
前記ＤＣＩがアップリンク許可を含み、前記選択されたセル識別子が、前記アップリンク許可に対応するアップリンク送信のために使用される、請求項１に記載の方法。
【請求項１０】
前記選択されたセル識別子に基づいてチャネル状態情報（ＣＳＩ）を与えることをさらに備える、請求項１に記載の方法。
【請求項１１】
ダウンリンク制御情報（ＤＣＩ）を含む信号を受信するための手段と、
前記ＤＣＩに関連する１つまたは複数のプロパティに基づいて複数のセル識別子のうちの１つを選択するための手段であって、前記１つまたは複数のプロパティが、セル識別子を判断することのみに関連するのではない手段と、
を備える、ワイヤレス通信のための装置。
【請求項１２】
前記選択されたセル識別子に基づいて擬似ランダムシーケンス発生器を初期化するための手段をさらに備える、請求項１１に記載の装置。
【請求項１３】
無線リソース制御（ＲＲＣ）シグナリングを介して前記複数のセル識別子を受信するための手段をさらに備える、請求項１１に記載の装置。
【請求項１４】
前記ＤＣＩが拡張物理ダウンロード制御チャネル（ｅＰＤＣＣＨ）中で受信される、請求項１１に記載の装置。
【請求項１５】
前記ｅＰＤＣＣＨがｅＰＤＣＣＨスクランブリング識別子でスクランブルされ、選択するための前記手段は、前記ＤＣＩのフォーマットのタイプを判断し、前記ＤＣＩがタイプ１Ａフォーマットを有するとき、前記ｅＰＤＣＣＨスクランブリング識別子に基づいて前記選択されたセル識別子を選択する、請求項１４に記載の装置。
【請求項１６】
選択するための前記手段は、前記ＤＣＩのフォーマットのタイプを判断し、前記ＤＣＩがタイプ１Ａフォーマットを有するとき、所定のセル識別子を選択する、請求項１４に記載の装置。
【請求項１７】
選択するための前記手段は、前記ＤＣＩが受信されたサブフレームタイプを判断し、前記サブフレームがマルチメディアブロードキャストオーバー単一周波数ネットワーク（ＭＢＳＦＮ）サブフレームであるのか非ＭＢＳＦＮサブフレームであるのかを判断し、前記セル識別子が、少なくとも部分的に前記サブフレームタイプに基づいて選択される、請求項１１に記載の装置。
【請求項１８】
信号を受信するための前記手段が、候補制御チャネル（ＣＣＥ）の少なくとも２つのセットのうちのＣＣＥの第１のセット中で前記ＤＣＩを受信し、前記選択されたセル識別子は、少なくとも部分的に、前記ＤＣＩが受信されたＣＣＥの前記セットに基づいて選択される、請求項１１に記載の装置。
【請求項１９】
前記ＤＣＩがアップリンク許可を含み、前記選択されたセル識別子が、前記アップリンク許可に対応するアップリンク送信のために使用される、請求項１１に記載の装置。
【請求項２０】
前記選択されたセル識別子に基づいてチャネル状態情報（ＣＳＩ）を与えるための手段をさらに備える、請求項１１に記載の装置。
【請求項２１】
ダウンリンク制御情報（ＤＣＩ）を含む信号を受信することと、
前記ＤＣＩに関連する１つまたは複数のプロパティに基づいて複数のセル識別子のうちの１つを選択することであって、前記１つまたは複数のプロパティが、セル識別子を判断することのみに関連するのではないことと、を行うように構成された処理システムを備える、ワイヤレス通信のための装置。
【請求項２２】
ダウンリンク制御情報（ＤＣＩ）を含む信号を受信することと、
前記ＤＣＩに関連する１つまたは複数のプロパティに基づいて複数のセル識別子のうちの１つを選択することであって、前記１つまたは複数のプロパティが、セル識別子を判断することのみに関連するのではないことと、を行うためのコードを備えるコンピュータ可読媒体を備える、コンピュータプログラム製品。
【請求項２３】
アップリンク許可を含むダウンリンク制御情報（ＤＣＩ）を含む信号を受信することであって、前記ＤＣＩがＰＤＣＣＨまたはｅＰＤＣＣＨのうちの１つ中で受信される、受信することと、
前記アップリンク許可に基づいてハイブリッド自動再送要求（ＨＡＲＱ）インジケータのロケーションを判断することであって、
前記許可が前記ＰＤＣＣＨ中で与えられたとき、制御領域において物理ＨＡＲＱインジケータチャネル（ＰＨＩＣＨ）中で前記ＨＡＲＱインジケータを識別すること、および
前記許可が前記ｅＰＤＣＣＨ中で与えられたとき、データ領域において拡張ＰＨＩＣＨ中で前記ＨＡＲＱインジケータを識別すること
のうちの少なくとも１つを含む、判断することと、を備える、ワイヤレス通信の方法。
【請求項２４】
前記ＤＣＩに関連するプロパティに基づいて複数のセル識別子のうちの１つを選択することであって、前記プロパティが、セル識別子を判断することのみに関係するのではない、選択することをさらに備える、請求項２３に記載の方法。
【請求項２５】
前記選択されたセル識別子に基づいて肯定応答または否定応答を受信することをさらに備える、請求項２４に記載の方法。
【請求項２６】
アップリンク許可を含むダウンリンク制御情報（ＤＣＩ）を含む信号を受信するための手段であって、前記ＤＣＩがＰＤＣＣＨまたはｅＰＤＣＣＨのうちの１つ中で受信される手段と、
前記アップリンク許可に基づいてハイブリッドＡＲＱインジケータのロケーションを判断するための手段であって、
前記許可が前記ＰＤＣＣＨ中で与えられたときの、制御領域における物理ハイブリッドＡＲＱインジケータチャネル（ＰＨＩＣＨ）中の前記ハイブリッドＡＲＱインジケータ、および
前記許可が前記ｅＰＤＣＣＨ中で与えられたときの、データ領域における拡張ＰＨＩＣＨ中の前記ハイブリッドＡＲＱインジケータ
のうちの少なくとも１つを識別する、判断するための手段と、
を備える、ワイヤレス通信のための装置。
【請求項２７】
前記ＤＣＩに関連するプロパティに基づいて複数のセル識別子のうちの１つを選択するための手段であって、前記プロパティが、セル識別子を判断することのみに関係するのではない手段をさらに備える、請求項２６に記載の装置。
【請求項２８】
前記選択されたセル識別子に基づいて肯定応答または否定応答を受信するための手段をさらに備える、請求項２７に記載の装置。
【請求項２９】
アップリンク許可を含むダウンリンク制御情報（ＤＣＩ）を含む信号を受信することであって、前記ＤＣＩがＰＤＣＣＨまたはｅＰＤＣＣＨのうちの１つ中で受信されることと、
前記アップリンク許可に基づいてハイブリッドＡＲＱインジケータのロケーションを判断することと、を行うように構成された処理システムを備え、
前記処理システムは、
前記許可が前記ＰＤＣＣＨ中で与えられたときの、制御領域における物理ハイブリッドＡＲＱインジケータチャネル（ＰＨＩＣＨ）中の前記ハイブリッドＡＲＱインジケータ、および、
前記許可が前記ｅＰＤＣＣＨ中で与えられたときの、データ領域における拡張ＰＨＩＣＨ中の前記ハイブリッドＡＲＱインジケータ、
のうちの少なくとも１つを識別することによって、前記ロケーションを判断する、
ワイヤレス通信のための装置。
【請求項３０】
アップリンク許可を含むダウンリンク制御情報（ＤＣＩ）を含む信号を受信することであって、前記ＤＣＩがＰＤＣＣＨまたはｅＰＤＣＣＨのうちの１つ中で受信される、受信することと、
前記アップリンク許可に基づいてハイブリッドＡＲＱインジケータのロケーションを判断することであって、
前記許可が前記ＰＤＣＣＨ中で与えられたとき、制御領域において物理ハイブリッドＡＲＱインジケータチャネル（ＰＨＩＣＨ）中の前記ハイブリッドＡＲＱインジケータを識別すること、および、
前記許可が前記ｅＰＤＣＣＨ中で与えられたとき、データ領域において拡張ＰＨＩＣＨ中の前記ハイブリッドＡＲＱインジケータを識別すること
のうちの少なくとも１つを含む、判断することと、
を行うためのコードを備えるコンピュータ可読媒体
を備える、コンピュータプログラム製品。
【請求項３１】
ダウンリンク制御情報（ＤＣＩ）のフォーマットタイプに基づいてインデックスを判断することと、
前記インデックスに基づいてパラメータの複数のセットから前記パラメータのセットを選択することであって、前記パラメータの前記セットが仮想セルの１つまたは複数の特性を定義し、前記パラメータの前記複数のセットが無線リソース制御（ＲＲＣ）シグナリングを通して構成されることと、
を備える、ワイヤレス通信の方法。
【請求項３２】
前記パラメータの前記選択されたセットの１つのパラメータを使用して擬似ランダムシーケンス発生器を初期化することをさらに備える、請求項３１に記載の方法。
【請求項３３】
前記パラメータの前記セットが、アップリンク通信チャネルの特性を定義するために使用される、請求項３１に記載の方法。
【請求項３４】
ダウンリンク制御情報（ＤＣＩ）のフォーマットタイプに基づいてインデックスを判断するための手段と、
前記インデックスに基づいてパラメータの複数のセットから前記パラメータのセットを選択するための手段であって、前記パラメータの前記セットが仮想セルの１つまたは複数の特性を定義し、前記パラメータの前記複数のセットが無線リソース制御（ＲＲＣ）シグナリングを通して構成される手段と、
を備える、ワイヤレス通信のための装置。
【請求項３５】
前記パラメータの前記選択されたセットの１つのパラメータを使用して擬似ランダムシーケンス発生器を初期化するための手段をさらに備える、請求項３４に記載の装置。
【請求項３６】
前記パラメータの前記セットが、アップリンク通信チャネルの特性を定義するために使用される、請求項３５に記載の装置。
【請求項３７】
ダウンリンク制御情報（ＤＣＩ）のフォーマットタイプに基づいてインデックスを判断することと、
前記インデックスに基づいてパラメータの複数のセットから前記パラメータのセットを選択することであって、前記パラメータの前記セットが仮想セルの１つまたは複数の特性を定義し、前記パラメータの前記複数のセットが無線リソース制御（ＲＲＣ）シグナリングを通して構成されることと、
を行うように構成された処理システム
を備える、ワイヤレス通信のための装置。
【請求項３８】
ダウンリンク制御情報（ＤＣＩ）のフォーマットタイプに基づいてインデックスを判断することと、
前記インデックスに基づいてパラメータの複数のセットから前記パラメータのセットを選択することであって、前記パラメータの前記セットが仮想セルの１つまたは複数の特性を定義し、前記パラメータの前記複数のセットが無線リソース制御（ＲＲＣ）シグナリングを通して構成されることと、
を行うためのコードを備えるコンピュータ可読媒体
を備える、コンピュータプログラム製品。
【請求項３９】
ダウンリンク制御情報（ＤＣＩ）の１つまたは複数のプロパティを構成することであって、ユーザ機器（ＵＥ）が、前記構成されたプロパティによって示されるセル識別子を判断するように適応され、前記構成されたプロパティが、前記セル識別子を判断することのみに関連するのではないことと、
前記ＤＣＩを含む信号を前記ＵＥに送信することと、
を備える、ワイヤレス通信の方法。
【請求項４０】
無線リソース制御（ＲＲＣ）シグナリング中で前記ＵＥに複数の識別子を与えることであって、前記示されたセル識別子が前記複数の識別子のうちの１つである、与えることをさらに備える、請求項３９に記載の方法。
【請求項４１】
前記ＵＥが、擬似ランダムシーケンス発生器を初期化するために前記示されたセル識別子を使用するように適応された、請求項４０に記載の方法。
【請求項４２】
前記ＤＣＩの前記１つまたは複数のプロパティを構成することが、前記ＤＣＩのフォーマットタイプを構成することを含む、請求項３９に記載の方法。
【請求項４３】
ｅＰＤＣＣＨスクランブリング識別子でスクランブルされた拡張物理ダウンリンク制御チャネル（ｅＰＤＣＣＨ）中で前記ＤＣＩを送信することであって、前記ＤＣＩがタイプ１Ａフォーマットを有するとき、前記示されたセル識別子が前記ｅＰＤＣＣＨスクランブリング識別子であることをさらに備える、請求項４２に記載の方法。
【請求項４４】
前記ＤＣＩがタイプ１Ａフォーマットを有するとき、前記示されたセル識別子が所定のセル識別子である、請求項４２に記載の方法。
【請求項４５】
マルチメディアブロードキャストオーバー単一周波数ネットワーク（ＭＢＳＦＮ）サブフレームおよび非ＭＢＳＦＮサブフレームのうちの１つ中で前記ＤＣＩを送信することであって、前記セル識別子が前記サブフレームタイプに基づいて示されることをさらに備える、請求項３９に記載の方法。
【請求項４６】
前記ＤＣＩの１つまたは複数のプロパティを構成することが、前記ＤＣＩを送信するための制御チャネルを選択することを含み、前記セル識別子が、少なくとも部分的に前記制御チャネル選択によって示される、請求項３９に記載の方法。
【請求項４７】
前記ＤＣＩがアップリンク許可を含み、前記示されたセル識別子が、前記アップリンク許可に対応するアップリンク送信のために使用されるべきである、請求項３９に記載の方法。
【請求項４８】
前記選択されたセル識別子が、チャネル状態情報（ＣＳＩ）を与えるために使用されるべきである、請求項３９に記載の方法。
【請求項４９】
ダウンリンク制御情報（ＤＣＩ）の１つまたは複数のプロパティを構成するための手段であって、ユーザ機器（ＵＥ）が、前記構成されたプロパティによって示されるセル識別子を判断するように適応され、前記構成されたプロパティが、前記セル識別子を判断することのみに関連するのではない手段と、
前記ＤＣＩを含む信号を前記ＵＥに送信するための手段と、
を備える、ワイヤレス通信のための装置。
【請求項５０】
無線リソース制御（ＲＲＣ）シグナリング中で前記ＵＥに複数の識別子を与えるための手段であって、前記示されたセル識別子が前記複数の識別子のうちの１つである、与えるための手段をさらに備える、請求項４９に記載の装置。
【請求項５１】
前記ＵＥが、擬似ランダムシーケンス発生器を初期化するために前記示されたセル識別子を使用するように適応された、請求項５０に記載の装置。
【請求項５２】
前記ＤＣＩの前記１つまたは複数のプロパティを構成するための前記手段が、前記ＤＣＩのフォーマットタイプを構成する、請求項４９に記載の装置。
【請求項５３】
ｅＰＤＣＣＨスクランブリング識別子でスクランブルされた拡張物理ダウンロード制御チャネル（ｅＰＤＣＣＨ）中で前記ＤＣＩを送信するための手段であって、前記ＤＣＩがタイプ１Ａフォーマットを有するとき、前記示されたセル識別子が前記ｅＰＤＣＣＨスクランブリング識別子である手段をさらに備える、請求項５２に記載の装置。
【請求項５４】
前記ＤＣＩがタイプ１Ａフォーマットを有するとき、前記示されたセル識別子が所定のセル識別子である、請求項５２に記載の装置。
【請求項５５】
マルチメディアブロードキャストオーバー単一周波数ネットワーク（ＭＢＳＦＮ）サブフレームおよび非ＭＢＳＦＮサブフレームのうちの１つ中で前記ＤＣＩを送信するための手段であって、前記セル識別子が前記サブフレームタイプに基づいて示される手段をさらに備える、請求項４９に記載の装置。
【請求項５６】
前記ＤＣＩの１つまたは複数のプロパティを構成するための前記手段が、前記ＤＣＩを送信するための制御チャネルを選択し、前記セル識別子が、少なくとも部分的に前記制御チャネル選択によって示される、請求項４９に記載の装置。
【請求項５７】
前記ＤＣＩがアップリンク許可を含み、前記示されたセル識別子が、前記アップリンク許可に対応するアップリンク送信のために使用される、請求項４９に記載の装置。
【請求項５８】
前記選択されたセル識別子が、チャネル状態情報（ＣＳＩ）を与えるために使用される、請求項４９に記載の装置。
【請求項５９】
ダウンリンク制御情報（ＤＣＩ）の１つまたは複数のプロパティを構成することであって、ユーザ機器（ＵＥ）が、前記構成されたプロパティによって示されるセル識別子を判断するように適応され、前記構成されたプロパティが、前記セル識別子を判断することのみに関連するのではないことと、
前記ＤＣＩを含む信号を前記ＵＥに送信することと、
を行うように構成された処理システム
を備える、ワイヤレス通信のための装置。
【請求項６０】
ダウンリンク制御情報（ＤＣＩ）の１つまたは複数のプロパティを構成することであって、ユーザ機器（ＵＥ）が、前記構成されたプロパティによって示されるセル識別子を判断するように適応され、前記構成されたプロパティが、前記セル識別子を判断することのみに関連するのではないことと、
前記ＤＣＩを含む信号を前記ＵＥに送信することと、
を行うためのコードを備えるコンピュータ可読媒体
を備える、コンピュータプログラム製品。
【請求項６１】
アップリンク許可を含むダウンリンク制御情報（ＤＣＩ）を含む信号をユーザ機器（ＵＥ）に送信することであって、前記ＤＣＩがＰＤＣＣＨまたはｅＰＤＣＣＨのうちの１つ中で送信されることと、
肯定応答（ＡＣＫ）または否定応答（ＮＡＣＫ）を送信することであって、前記ＡＣＫまたは前記ＮＡＣＫを前記送信することが、
前記許可が前記ＰＤＣＣＨ中で与えられたとき、制御領域において物理ハイブリッドＡＲＱインジケータチャネル（ＰＨＩＣＨ）中で前記ＡＣＫまたは前記ＮＡＣＫを送信すること、および、
前記許可が前記ｅＰＤＣＣＨ中で与えられたとき、データ領域において拡張ＰＨＩＣＨ中で前記ＡＣＫまたは前記ＮＡＣＫを送信すること、
のうちの少なくとも１つを備えることと、
を備える、ワイヤレス通信の方法。
【請求項６２】
前記ＤＣＩの１つまたは複数のプロパティを構成することであって、前記ＵＥが、前記構成されたプロパティによって示されるセル識別子を判断するように適応され、前記構成されたプロパティが、前記セル識別子を判断することのみに関連するのではないことをさらに備える、請求項６１に記載の方法。
【請求項６３】
アップリンク許可を含むダウンリンク制御情報（ＤＣＩ）を含む信号をユーザ機器（ＵＥ）に送信するための手段であって、前記ＤＣＩがＰＤＣＣＨまたはｅＰＤＣＣＨのうちの１つ中で送信される手段と、
肯定応答（ＡＣＫ）または否定応答（ＮＡＣＫ）を送信するための手段であって、
前記許可が前記ＰＤＣＣＨ中で与えられたときには制御領域において物理ハイブリッドＡＲＱインジケータチャネル（ＰＨＩＣＨ）中で、および、
前記許可が前記ｅＰＤＣＣＨ中で与えられたときにはデータ領域において拡張ＰＨＩＣＨ中で
前記ＡＣＫまたは前記ＮＡＣＫを送信する手段と、
を備える、ワイヤレス通信のための装置。
【請求項６４】
前記ＤＣＩの１つまたは複数のプロパティを構成するための手段であって、前記ＵＥが、前記構成されたプロパティに基づいて、前記ＰＨＩＣＨが前記制御領域において送信されるのか前記データ領域において送信されるのかを判断するように適応された手段をさらに備える、請求項６３に記載の装置。
【請求項６５】
アップリンク許可を含むダウンリンク制御情報（ＤＣＩ）を含む信号をユーザ機器（ＵＥ）に送信することであって、前記ＤＣＩがＰＤＣＣＨまたはｅＰＤＣＣＨのうちの１つ中で送信されることと、
肯定応答（ＡＣＫ）または否定応答（ＮＡＣＫ）を送信することと、
を行うように構成された処理システムであって、
前記許可が前記ＰＤＣＣＨ中で与えられたときの、制御領域における物理ハイブリッドＡＲＱインジケータチャネル（ＰＨＩＣＨ）、および、
前記許可が前記ｅＰＤＣＣＨ中で与えられたときの、データ領域における拡張ＰＨＩＣＨ
のうちの少なくとも１つ中で前記ＡＣＫまたは前記ＮＡＣＫを送信する、処理システム
を備える、ワイヤレス通信のための装置。
【請求項６６】
アップリンク許可を含むダウンリンク制御情報（ＤＣＩ）を含む信号をユーザ機器（ＵＥ）に送信することであって、前記ＤＣＩがＰＤＣＣＨまたはｅＰＤＣＣＨのうちの１つ中で送信されることと、
肯定応答（ＡＣＫ）または否定応答（ＮＡＣＫ）を送信することであって、前記ＡＣＫまたは前記ＮＡＣＫを前記送信することが、
前記許可が前記ＰＤＣＣＨ中で与えられたとき、制御領域において物理ハイブリッドＡＲＱインジケータチャネル（ＰＨＩＣＨ）中で前記ＡＣＫまたは前記ＮＡＣＫを送信すること、および、
前記許可が前記ｅＰＤＣＣＨ中で与えられたとき、データ領域において拡張ＰＨＩＣＨ中で前記ＡＣＫまたは前記ＮＡＣＫを送信すること
のうちの少なくとも１つを備えることと、
を行うためのコードを備えるコンピュータ可読媒体
を備える、コンピュータプログラム製品。
【発明の詳細な説明】
【技術分野】
【０００１】
関連出願の相互参照
[0001]本出願は、それらの全体が参照により本明細書に明確に組み込まれる、２０１２年３月１２日に出願された「Signaling of Virtual Cell Identifiers and Fallback Operation」と題する米国仮出願第６１／６０９，９２４号、および２０１３年３月１１日に出願された「Signaling of Virtual Cell Identifiers and Fallback Operation」と題する米国特許出願第１３／７９４，７５７号の利益を主張する。
【０００２】
[0002]本開示は、一般に通信システムに関し、より詳細には、仮想セル識別子を採用し得るワイヤレス通信システムに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本発明のいくつかの実施形態は、ワイヤレス通信システムにおいて構成情報を通信する方法を提供する。特に、静的または半静的構成パラメータのセットがユーザ機器に与えられ得る。ユーザ機器は、次いで、後続の動作中に受信されたシグナリングに基づいて特定のパラメータを選択し得る。特定のパラメータの選択は、シグナリングされたインデックス値に基づき得、また、ユーザ機器によって受信されたダウンリンク制御情報のフォーマットから導出された情報に基づき得る。
【０００６】
[0006]開示するシステムおよび方法は、ユーザ機器によって使用されるべき仮想セル識別子の識別を可能にし、また、ユーザ機器がフィードバックおよびフロー制御情報を基地局に通信することができる方法を識別し得る。
【０００７】
[0007]本開示の一態様では、ワイヤレス通信の方法は、ダウンリンク制御情報（ＤＣＩ：downlink control information）を含む信号を受信することと、ＤＣＩに関連する１つまたは複数のプロパティに基づいて複数のセル識別子のうちの１つを選択することとを備える。１つまたは複数のプロパティは、セル識別子を判断することのみに関連するのではないことがある。本方法はまた、選択されたセル識別子に基づいて擬似ランダムシーケンス発生器を初期化することを含み得る。本開示の一態様では、本方法は、無線リソース制御（ＲＲＣ：radio resource control）シグナリングを介して複数のセル識別子を受信することを備える。
【０００８】
[0008]いくつかの実施形態では、ＤＣＩは拡張物理ダウンロード制御チャネル（ｅＰＤＣＣＨ：enhanced physical download control channel）中で受信される。ｅＰＤＣＣＨは、ｅＰＤＣＣＨスクランブリング識別子でスクランブルされ得る。いくつかの実施形態では、セル識別子は、ＤＣＩのフォーマットのタイプを判断することと、ＤＣＩがタイプ１Ａフォーマットを有するとき、ｅＰＤＣＣＨスクランブリング識別子に基づいて、選択されたセル識別子を選択することとによって選択され得る。いくつかの実施形態では、セル識別子は、ＤＣＩのフォーマットのタイプを判断することと、ＤＣＩがタイプ１Ａフォーマットを有するとき、所定のセル識別子を選択することとによって選択され得る。
【０００９】
[0009]本開示の一態様では、セル識別子は、ＤＣＩが受信されたサブフレームタイプを判断することと、サブフレームがマルチメディアブロードキャストオーバー単一周波数ネットワーク（ＭＢＳＦＮ：Multi-Media Broadcast over a Single Frequency Network）サブフレームであるのか非ＭＢＳＦＮサブフレームであるのかを判断することとによって選択され得る。セル識別子は、少なくとも部分的にサブフレームタイプに基づいて選択され得る。
【００１０】
[0010]本開示の一態様では、信号を受信することは、候補制御チャネル（ＣＣＥ：candidate control channel）の少なくとも２つのセットのうちのＣＣＥの第１のセット中のＤＣＩを受信することを含み、選択されたセル識別子は、少なくとも部分的に、ＤＣＩが受信されたＣＣＥのセットに基づいて選択される。いくつかの実施形態では、ＤＣＩはアップリンク許可を含み、選択されたセル識別子は、アップリンク許可に対応するアップリンク送信のために使用される。
【００１１】
[0011]本開示の一態様では、本方法は、選択されたセル識別子に基づいてチャネル状態情報（ＣＳＩ：channel state information）を与えることを備える。
【００１２】
[0012]本開示の一態様では、ワイヤレス通信の方法は、アップリンク許可を含むダウンリンク制御情報（ＤＣＩ）を含む信号を受信することと、許可がＰＤＣＣＨ中で与えられたとき、制御領域において物理ハイブリッドＡＲＱインジケータチャネル（ＰＨＩＣＨ：physical hybrid ARQ indicator channel）を識別することと、許可がｅＰＤＣＣＨ中で与えられたとき、データ領域において拡張ＰＨＩＣＨを識別することとを備える。
【００１３】
[0013]本開示の一態様では、本方法は、ＤＣＩに関連するプロパティに基づいて複数のセル識別子のうちの１つを選択することを備える。プロパティは、セル識別子を判断することのみに関係するのではないことがある。
【００１４】
[0014]本開示の一態様では、本方法は、選択されたセル識別子に基づいて肯定応答または否定応答を与えることを備える。
【００１５】
[0015]本開示の一態様では、ワイヤレス通信の方法は、ＤＣＩのフォーマットタイプに基づいてインデックスを判断することと、インデックスに基づいてパラメータの複数のセットからパラメータのセットを選択することとを備える。パラメータのセットは仮想セルの１つまたは複数の特性を定義し得、パラメータの複数のセットはＲＲＣシグナリングを通して構成される。
【００１６】
[0016]本開示の一態様では、ワイヤレス通信の方法は、選択されたパラメータのセットの１つのパラメータを使用して擬似ランダムシーケンス発生器を初期化することを備える。パラメータのセットは、アップリンク通信チャネルの特性を定義するために使用され得る。
【図面の簡単な説明】
【００１７】
【図１】[0017]ネットワークアーキテクチャの一例を示す図。
【図２】[0018]アクセスネットワークの一例を示す図。
【図３】[0019]ＬＴＥにおけるＤＬフレーム構造の一例を示す図。
【図４】[0020]ＬＴＥにおけるＵＬフレーム構造の一例を示す図。
【図５】[0021]ユーザプレーンおよび制御プレーンのための無線プロトコルアーキテクチャの一例を示す図。
【図６】[0022]アクセスネットワーク中の発展型ノードＢおよびユーザ機器の一例を示す図。
【図７】[0023]マルチメディアブロードキャストオーバー単一周波数ネットワーク中の発展型マルチキャストブロードキャストマルチメディアサービスを示す図。
【図８】[0024]ワイヤレスネットワーク構成の動的シグナリングを示す図。
【図９】[0025]ワイヤレス通信の方法のフローチャート。
【図１０】[0026]ワイヤレス通信の方法のフローチャート。
【図１１】[0027]ワイヤレス通信の方法のフローチャート。
【図１２】[0028]例示的な装置中の異なるモジュール／手段／構成要素間のデータフローを示す概念データフロー図。
【図１３】[0029]処理システムを採用する装置のためのハードウェア実装形態の一例を示す図。
【図１４】[0030]例示的な装置中の異なるモジュール／手段／構成要素間のデータフローを示す概念データフロー図。
【図１５】[0031]処理システムを採用する装置のためのハードウェア実装形態の一例を示す図。
【発明を実施するための形態】
【００１８】
[0032]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１９】
[0033]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課された設計制約に依存する。
【００２０】
[0034]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２１】
[0035]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２２】
[0036]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２３】
[0037]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２４】
[0038]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２５】
[0039]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２６】
[0040]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２７】
[0041]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２８】
[0042]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２９】
[0043]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３０】
[0044]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３１】
[0045]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３２】
[0046]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３３】
[0047]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３４】
[0048]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３５】
[0049]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３６】
[0050]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅＮＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３７】
[0051]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３８】
[0052]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３９】
[0053]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４０】
[0054]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００４１】
[0055]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４２】
[0056]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４３】
[0057]ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４４】
[0058]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４５】
[0059]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４６】
[0060]図７は、マルチメディアブロードキャストオーバー単一周波数ネットワーク（ＭＢＳＦＮ）中の発展型マルチキャストブロードキャストマルチメディアサービス（ｅＭＢＭＳ：evolved Multicast Broadcast Multimedia Service）を示す図７５０である。セル７５２’中のｅＮＢ７５２は第１のＭＢＳＦＮエリアを形成し得、セル７５４’中のｅＮＢ７５４は第２のＭＢＳＦＮエリアを形成し得る。ｅＮＢ７５２、７５４は、他のＭＢＳＦＮエリア、たとえば、最高合計８つのＭＢＳＦＮエリアに関連し得る。ＭＢＳＦＮエリア内のセルが予約済みセルに指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で制限電力を有する。ＭＢＳＦＮエリア中の各ｅＮＢは、同じｅＭＢＭＳ制御情報およびデータを同期的に送信する。各エリアは、ブロードキャストサービスと、マルチキャストサービスと、ユニキャストサービスとをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７を参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００４７】
[0061]図８は、ＵＥ８０２を構成する方法を示す図８００である。ｅＮＢ８０４は、送信機８０６を通して、ＲＲＣサブレイヤ８１０を使用して、１つまたは複数の仮想セル識別子８０８など、ある情報をＵＥ８０２にシグナリングし得る。次いで、仮想セル識別子８０８のうちの１つ、あるいは所定のおよび／または物理セル識別子など別のセル識別子をＵＥ８０２に選択させるために動的シグナリングが使用され得る。いくつかの実施形態では、動的シグナリングは、セル識別子を選択することによってＵＥ８０２動作の態様を構成するために使用され得るインデックスを与える。いくつかの実施形態では、動的にシグナリングされたインデックスは、仮想セルの個々の動作態様を構成し得る、ＵＥ８０２中の静的にまたは半静的に定義されたパラメータのセットにアクセスするために使用され得る。
【００４８】
[0062]ワイヤレス通信のために使用されるいくつかのチャネルは、セル識別子を使用して初期化されるスクランブリングシーケンス発生器を使用してスクランブルされ得る。たとえば、復調基準信号（ＤＭ−ＲＳ：demodulation reference signal）擬似ランダムシーケンス発生器は、次式を使用して、セル識別子
【数１】
2015513878.tif 000003
【００４９】
を使用して各サブフレームの最初に初期化され得る。
【数２】
2015513878.tif 000004
【００５０】
上式で、ｎSはスロット番号を表し、
【数３】
2015513878.tif 000005
【００５１】
は、サービングセルのためのセル識別子であり、ｎSCIDは、一般に、ＰＤＳＣＨ送信に関連するＤＣＩ中でＵＥ８０２に動的に搬送される、基地局によって構成されたスクランブリングシーケンス番号である。初期化値は、仮想セル識別子が使用されるとき、異なる関数を使用して判断され得る。たとえば、擬似ランダムシーケンス発生器は、値ｃinitを使用して初期化され得、ただし、
【数４】
2015513878.tif 000006
【００５２】
である。Ｘは、仮想セル識別子と呼ばれることがあり、動的に選択されたパラメータであり得る。
【００５３】
[0063]動的シグナリングは、静的にまたは半静的に構成されたセル識別子８０８から仮想セル識別子Ｘを選択するために使用され得、セル識別子８０８は次の集合によって示され得る。
【数５】
2015513878.tif 000007
【００５４】
ｘ（ｎ）の値はＵＥ固有ＲＲＣシグナリング８１０によって構成され得、ただし、０≦ｎ＜Ｎである。パラメータＸは、ＤＣＩ８２８中で与えられる追加のビットを通して、または、ｎSCIDなど、既存のパラメータの再利用を通して動的にシグナリングされ得る。Ｘが選択される集合｛ｘ（０），ｘ（１），．．．ｘ（Ｎ−１）｝が２つ以上の要素を有するとき、要素を選択するために使用されるインデックスは、ＤＣＩ８２８中のインデックスビットの直接シグナリングを含む、動的シグナリングを通して、またはＤＣＩ８２８の１つまたは複数のプロパティに基づいてインデックスを生成することによって取得され得る。
【００５５】
[0064]複数の半静的に構成された仮想セル識別子８０８を使用してポピュレートされ得る集合｛ｘ（０），．．．，ｘ（Ｎ−１）｝からＸ＝ｘ（ｎ）の値を選択するためのインデックスｎは、ＵＥ８０２に直接シグナリングされ得る。インデックスは、許可中で与えられる追加のビットを使用して、またはスクランブリング識別情報（ＳＣＩＤ：scrambling identity）ビットなどの既存のビットを再利用することによってＵＥ８０２に与えられ得る。本明細書の他の場所で説明するように、インデックスは、ＤＣＩ８２８がいくつかのプロパティを有するとき、直接シグナリングによって与えられ得る。
【００５６】
[0065]追加または代替として、インデックスまたは他のインジケータは動的シグナリングを通して与えられ得る。動的シグナリングは、場合によっては、セル識別子の選択に関係しない目的のために使用される、信号の属性またはプロパティを変更することを含み得る。いくつかの実施形態では、ｅＮＢ８０４によって送信されるＤＣＩ８２８の１つまたは複数のプロパティは、インデックスを搬送するために使用され、またはさもなければ、ＵＥ８０２動作の態様を構成するために、セル識別子８０８のいずれがＵＥ８０２によって選択されるべきかを示すために使用され得る。１つまたは複数のプロパティは、ＤＣＩフォーマットのタイプ８１４、８１６、または８１８、ＤＣＩ８２８を搬送するために使用されるダウンリンク制御チャネルのタイプ８２０、８２２、およびＤＣＩ８２８を搬送するサブフレームのタイプ８２４、８２６に関係し得る。
【００５７】
[0066]インデックスは、ＤＣＩ８２８のいくつかのプロパティと、ＤＣＩ８２８中の特に割り当てられたビットと、ＤＣＩ８２８中の再利用されたビットと、他の静的に構成された情報とを含み得る基準を使用して生成され得る。一部の動的にシグナリングされた情報が仮想セル識別子の選択を絞り込み得、他の基準が、次いで、最終選択を行うために使用され得る。
【００５８】
[0067]ＤＣＩ８２８中で直接シグナリングされた情報とＤＣＩ８２８のフォーマットタイプ８１４、８１６、および８１８の知識とが、ＵＥ８０２にセル識別子を示すために組み合わされ得る。ＤＣＩ８２８は、ＤＣＩ８２８のいくつかの構造と、フィールドと、他の属性とを定義する、特にタイプ１Ａ  ８１４と、タイプ２Ｃ  ８１６と、タイプ２Ｄ  ８１８とを含む、様々なフォーマットを有し得る。ＤＣＩフォーマットタイプの例（１Ａ、２Ｃ、および２Ｄ）は、説明を簡略化するために選択され、それらに関して説明する原理は、現在および将来のワイヤレス通信プロトコルによって定義されるフォーマットタイプを含む、他のＤＣＩフォーマットタイプに等しく適用される。ＤＣＩフォーマットタイプ８１４、８１６および８１８は、ＵＥ８０２またはｅＮＢ８０４のいくつかの機能を定義し、またはそれらに関係し得る。いくつかのＤＣＩタイプ８１６および８１８は、インデックスまたは識別子として働くように特に割り当てられた１つまたは複数のビットを搬送し得、それによって、ＵＥ８０２に選択を直接示し得る。したがって、ＵＥ８０２は、ＤＣＩ８２８があるフォーマットを有するとき、インデックスがＤＣＩペイロード８１２中で与えられると判断し得る。たとえば、ＤＣＩ８２８がタイプ２Ｃまたはタイプ２Ｄフォーマットを用いて送信される場合、インデックスまたは他のインジケータは、ＵＥ８０２へのインデックスまたは他のインジケータの直接シグナリングを可能にするようにＤＣＩペイロード８１２中でコーディングされ得る。しかしながら、ＤＣＩ８２８がタイプ１Ａフォーマットを用いて送信される場合、直接シグナリングされるビットは利用可能でないことがあり、送信に関係する他の情報が、セル識別子８０８を選択するために必要であり得る。ＤＣＩ８２８がタイプ１Ａフォーマット８１４を有するとき、セル識別子８０８のうちの１つを選択するために使用されるインデックスは所定の値に設定され得る。いくつかの実施形態では、ＤＣＩ８２８がタイプ１Ａフォーマット８１４を有するとき、あらかじめ定義されたセル識別子が使用される。
【００５９】
[0068]いくつかの実施形態では、ＵＥ８０２は、たとえば、受信したＤＣＩ８２８がタイプ１Ａフォーマット８１４を有するとき、ＤＣＩ８２８を搬送するダウンリンク制御チャネルのタイプ８２０、８２２および／またはサブフレームのタイプ８２４、８２６に基づいて、インデックスまたは所定のセル識別子を判断し得る。たとえば、ＤＣＩ８２８が拡張ＰＤＣＣＨ（ｅＰＤＣＣＨ）８２２中で搬送されるとき、１つまたは複数のビットが、静的にまたは半静的に定義されたセル識別子８０８間で選択するためのインデックスとして働くようにｅＰＤＣＣＨ８２２中に直接埋め込まれ得る。いくつかの実施形態では、ｅＰＤＣＣＨ８２２をスクランブルするために使用されるスクランブリング識別子が、セル識別子８０８として、あるいは静的にまたは半静的に定義されたセル識別子８０８のうちの１つを選択するためのインデックスとして働き得る。
【００６０】
[0069]タイプ１ＡフォーマットされたＤＣＩ８２８がレガシーＰＤＣＣＨ８２０中で搬送されるとき、ＵＥ８０２は、静的にまたは半静的に定義されたセル識別子８０８中に含まれ得る所定のセル識別子を選択し得る。所定のセル識別子は、静的にまたは半静的に定義されたセル識別子８０８中のあらかじめ定義されたロケーション中に含まれ得、インデックスｎ＝０など、あらかじめ定義されたインデックス値を使用してアクセスされ得る。いくつかの実施形態では、所定のセル識別子は、ＵＥ８０２のために静的に構成されたインデックスを使用して、静的にまたは半静的に定義されたセル識別子８０８中で識別され得る。いくつかの実施形態では、所定のセル識別子は静的に構成され得る。いくつかの実施形態では、所定のセル識別子は、ＵＥ８０２によって識別されるサービングセルの識別子など、物理セル識別子であり得る。
【００６１】
[0070]いくつかの実施形態では、ＵＥ８０２は、ＤＣＩ８２８を搬送するサブフレームのタイプに基づいて、インデックスまたは所定のセル識別子を判断し得る。たとえば、インデックスは、ＤＣＩ８２８がＭＢＳＦＮサブフレーム８２４中で受信されたのか非ＭＢＳＦＮサブフレーム８２６中で受信されたのかに部分的に基づいて判断され得る。特に、ＤＣＩ８２８を搬送するために使用されるサブフレーム８２４または８２６のタイプは、ＵＥ８０２においてセル識別子を選択するために利用可能な情報を限定し得る。たとえば、ＤＣＩ８２８が非ＭＢＳＦＮタイプ８２６サブフレーム中で搬送されるとき、ＤＣＩフォーマットタイプ２Ｃ  ８１６またはタイプ２Ｄ  ８１８が使用される場合、またはＤＣＩ８２８がｅＰＤＣＣＨ８２２中で与えられる場合のみ、仮想セル識別子を選択するための情報がＵＥ８０２にとって利用可能であり得る。ＤＣＩタイプ１Ａフォーマット８１４が非ＭＢＳＦＮサブフレーム８２６のＰＤＣＣＨ８２０中で受信されたとき、インデックスは所定の値に設定され得るか、またはあらかじめ定義されたセル識別子が使用され得る。あらかじめ定義されたセル識別子は物理セル識別子であり得る。別の例では、ＤＣＩタイプ１Ａフォーマット８１４がＰＤＳＣＨ送信中でＤＣＩ８２８をシグナリングするために使用されるとき、ＵＥ８０２は、特別に割り当てられたビットと、他の使用のために定義されたビット（たとえばＳＣＩＤビット）との組合せを使用して仮想セル識別子を通知され得る。
【００６２】
[0071]非ＭＢＳＦＮサブフレーム８２６では、ＣＲＳベースのフォールバック送信モードが使用され得る。フォールバック送信モードの使用は、ＵＥ８０２が、使用されるべき物理セル識別子を通知されることを必要とし得る。この物理セル識別子は、レガシーＰＤＣＣＨ８２０を使用する送信のためにサービングセルに結びつけられ得る。いくつかの実施形態では、物理セル識別子は別個にシグナリングされる。
【００６３】
[0072]いくつかの実施形態では、非ＭＢＳＦＮサブフレーム８２６がＤＣＩ８２８を搬送するとき、ＤＭ−ＲＳベースの復調を採用するフォールバックモードが使用され得る。ＤＭ−ＲＳスクランブルのために使用されるべき仮想セル識別子のシグナリングは、ＭＢＳＦＮ８２４サブフレーム中で搬送されるＤＣＩ８２８に関して説明したシグナリングと同様であり得る。たとえば、この動作では、既存の送信モード９と同様にポート７が使用され得る。
【００６４】
[0073]ＤＭ−ＲＳベースのフォールバック送信モード中にどのフォールバックモードが使用されるべきかの判断は、制御がレガシーＰＤＣＣＨ８２０を通して受信されたのかｅＰＤＣＣＨ８２２を通して受信されたのかに少なくとも部分的に基づき得る。たとえば、制御がｅＰＤＣＣＨ８２２を通して受信されたときはいつでも、ＤＭ−ＲＳベースのフォールバック送信モードが使用され得、制御がレガシーＰＤＣＣＨ８２０上で受信されたときは、ＣＲＳベースのフォールバック送信が使用され得る。
【００６５】
[0074]いくつかの実施形態では、フォールバック動作は、物理セル識別子であり得る所定のセル識別子に基づき得る。たとえば、ＵＥ８０２のために構成されたｅＰＤＣＣＨ８２２は１つまたは複数の仮想セル識別子８０８に完全に依拠し得、ＵＥ８０２について仮想セル識別子の再構成が開始されたとき、ｅＮＢ８０４とＵＥ８０２は同期外れになり得る。潜在的あいまいさおよび不整合は、いくつかの制御復号候補に関連する１つまたは複数の仮想セル識別子と、他の制御復号候補に関連する１つまたは複数の物理セル識別子とを含むセル識別子をＵＥ８０２のために指定することによって緩和され得る。
【００６６】
[0075]ＭＢＳＦＮサブフレーム８２４では、ＰＤＣＣＨ８２０またはｅＰＤＣＣＨ８２２のいずれかを通してＤＣＩタイプ１Ａフォーマット８１４の制御が受信されたとき、所定の仮想セルＩＤが使用され得る。所定の仮想セル識別子は、ＵＥ８０２に知られているインデックス、たとえば、インデックスｎ＝０を使用して示され得る。ＤＣＩ８２８がＭＢＳＦＮサブフレーム８２４中でｅＰＤＣＣＨ８２２上で受信されたとき、ｅＰＤＣＣＨスクランブリング識別子が使用され得る。ｅＰＤＣＣＨスクランブリング識別子は、ｅＰＤＣＣＨ８２２が様々なスクランブリング初期化をサポートするときに利用可能な複数の識別子のうちの１つであり得る。ｅＰＤＣＣＨスクランブリング識別子全体またはｅＰＤＣＣＨスクランブリング識別子中のビットのサブセットを使用してインデックスが形成され得る。いくつかの実施形態では、ｅＰＤＣＣＨ８２２は、ＰＤＳＣＨのために使用されている仮想セル識別子をシグナリングするために使用され得るＤＣＩタイプ１Ａフォーマットに基づくビットを搬送する。
【００６７】
[0076]ＤＣＩ８２８の他のプロパティが、セル識別子を選択するためにＵＥ８０２によって使用され得る。いくつかの実施形態では、セル識別子の選択は、複数の候補制御チャネル（ＣＣＥ）の探索中にＤＣＩ８２８が見つかった制御チャネルに少なくとも部分的に基づき得る。探索空間はＣＣＥのセットに区分され得、仮想セルＩＤ８０８は、少なくとも部分的に、ＤＣＩ８２８が受信されたパーティションに基づいて選択され得る。
【００６８】
[0077]本明細書で説明するように、動的シグナリングは、仮想セル識別子と物理セル識別子とを識別し得る。いくつかの実施形態では、仮想セル識別子ベースの制御と物理セル識別子ベースの制御との区分は、ＵＥ８０２がｅＰＤＣＣＨ８２２のみを監視するように構成されるのか、またはｅＰＤＣＣＨ８２２とＰＤＣＣＨ８２０の組合せを監視するように構成されるのかに依存し得る。前者の場合、いくつかのｅＰＤＣＣＨ８２２復号候補は、１つまたは複数の仮想セル識別子８０８に依拠し得、いくつかの他のｅＰＤＣＣＨ復号候補は物理セル識別子に依拠し得る。ＵＥ８０２がＰＤＣＣＨ８２０とｅＰＤＣＣＨ８２２の両方を監視する後者の場合、すべてのｅＰＤＣＣＨ８２２は仮想セル識別子８０８に依拠し得るが、少なくともいくつかのＰＤＣＣＨ８２０復号候補は物理セル識別子に依拠し得る。
【００６９】
[0078]仮想セル識別子ベースの制御と物理セル識別子ベースの制御との区分はまた、サブフレーム依存、アグリゲーションレベル依存、たとえば共通探索空間とＵＥ固有探索空間との間の区別をもつ探索空間依存、ＤＣＩフォーマット依存などであり得る。一例では、サブフレームのあるサブセット（たとえば、サブフレーム０、４、５および９）では、物理セル識別子がｅＰＤＣＣＨ８２２ベースのＤＣＩフォーマット１Ａ  ８１４のために使用され得るが、すべての他の場合には、１つまたは複数の仮想セル識別子がｅＰＤＣＣＨ８２２のために使用される。
【００７０】
[0079]本発明のいくつかの態様はアップリンクシグナリングに適用され得る。いくつかの実施形態では、仮想セル識別子８０８のうちの１つまたは複数はアップリンクのために構成され得る。セル識別子８０８のいずれが特定のサブフレームのために使用されるべきかを選択するために動的シグナリングが使用され得る。この動的シグナリングは、いくつかのＤＣＩフォーマット８１６および８１８において利用可能な追加のビットを利用し得、また、使用されるＤＣＩフォーマットのタイプ（たとえば、ＤＣＩフォーマットタイプ０対ＤＣＩフォーマットタイプ４）、またはペイロード８１２とＤＣＩ８２８のフォーマットとの何らかの組合せに特に基づき得る。一例では、ＤＣＩフォーマットタイプ４は、ＤＣＩフォーマットタイプ０において利用可能でない１つまたは複数のビットを与え得る。ＤＣＩフォーマットタイプ４における追加のビットは、アップリンク送信において使用するための仮想セル識別子を判断するために使用されるかまたは割り当てられ得るが、ＤＣＩフォーマットタイプ０が受信されたときは、所定の仮想セル識別子が使用され得る。
【００７１】
[0080]いくつかの実施形態では、仮想セル識別子の判断は、ＤＣＩ８２８がｅＰＤＣＣＨ８２２を通して受信されたのかＰＤＣＣＨ８２０を通して受信されたのかに少なくとも部分的に基づき得る。たとえば、ＤＣＩフォーマットタイプ０の使用は、フォールバック動作のために物理セル識別子が使用されるべきであることをＵＥ８０２に示し得るが、ＤＣＩフォーマットタイプ４は、仮想セル識別子が使用されるべきであることを示し得る。再送信では、ＵＥ８０２は、初期送信のために使用された同じ仮想セル識別子を使用し得る。
【００７２】
[0081]動的シグナリングは、ＵＥ８０２を構成するために使用される他のパラメータを選択するために使用され得る。半静的に構成され、動的シグナリングを使用して選択され得る構成情報は、ハイブリッドＡＲＱインジケータチャネル（ＰＨＩＣＨ）情報のために使用される制御領域またはデータ領域中のロケーションと、ＰＵＣＣＨ中で搬送されるチャネル状態情報（ＣＳＩ）情報の送信のための仮想セル識別子とを含み得る。
【００７３】
[0082]いくつかの実施形態は、ハイブリッドＡＲＱ指示のために動的シグナリングと識別子選択とを採用する。レガシーＰＨＩＣＨ送信は、対応するレガシー制御領域において適応され得、「拡張ＰＨＩＣＨ」（ｅＰＨＩＣＨ）は、ｅＰＤＣＣＨ８２２の一部としてサポートされ得、データ領域において搬送され得る。ＵＥ８０２のアップリンク送信に対応するＨＡＲＱ指示がどこで見つかり得るかを判断するために、パラメータの組合せがＵＥ８０２によって採用され得る。パラメータは、ＤＣＩフォーマットタイプと、サブフレームタイプと、ＰＤＣＣＨタイプと、探索空間区分とを含み得る。一例では、ＵＥ８０２は、アップリンクＰＵＳＣＨ送信に関連する許可がレガシーＰＤＣＣＨ８２０上で受信されたとき、レガシー制御領域においてＰＨＩＣＨを探し得る。許可がｅＰＤＣＣＨ８２２上で受信された場合、ＵＥ８０２は、データ領域においてｅＰＨＩＣＨを探し得る。別の例では、アップリンク送信をトリガした許可のタイプは、ハイブリッドＡＲＱ指示がどこで見つかり得るかに関する追加の指示をＵＥ８０２に与え得る。
【００７４】
[0083]いくつかの実施形態は、アップリンクＰＵＣＣＨ送信のために動的シグナリングと識別子選択とを採用する。一例では、ＨＡＲＱ  ＡＣＫ／ＮＡＣＫ情報のアップリンク送信の場合、ＵＥ８０２は、仮想セル識別子を判断するために、いくつかのＤＣＩフォーマット中で利用可能な追加のビットを利用し得、また、使用される特定のＤＣＩフォーマットタイプ８１４、８１６または８１８、ならびに、制御がｅＰＤＣＣＨ８２２を通して受信されたのかレガシーＰＤＣＣＨ８２０を通して受信されたのかに基づき得る。いくつかの実施形態では、ＵＥ８０２は、アップリンクＡＣＫ／ＮＡＣＫ送信のために、ダウンリンクシグナリングのために使用された同じ仮想セル識別子を使用し得る。他のマッピングも実行され得、マッピングは、ＤＣＩフォーマットタイプ、ダウンリンク制御チャネルタイプ、サブフレームタイプを含むパラメータの組合せに依存するか、またはＤＣＩ８２８中の明示的指示によって行われ得る。複数のタイプのアップリンク制御情報がＰＵＣＣＨ上で多重化されるとき、共通仮想セルＩＤ８０８が、所定の優先度付けに従って送信のために選択され得る。
【００７５】
[0084]いくつかの実施形態は、ＣＳＩ情報のフィードバックのために動的シグナリングと識別子選択とを採用する。一例では、仮想セル識別子が、フィードバック構成の一部としてＰＵＳＣＨ上で非周期フィードバックを送信する際に使用するために構成され得、および／または非周期ＣＳＩ報告を要求するＤＣＩフォーマット中で与えられる明示的ビットと、ＤＣＩフォーマットタイプと、非周期報告を要求する許可を配信する制御チャネルのタイプとを含む、１つまたは複数のパラメータに基づいて選択され得る。制御チャネルのタイプは、たとえば、レガシーＰＤＣＣＨ８２０またはｅＰＤＣＣＨ８２２であり得る。
【００７６】
[0085]半静的シグナリングと動的シグナリングとの組合せが、ＣＳＩフィードバックを送信するために仮想セル識別子８０８を判断するために採用され得る。ＰＵＣＣＨ上で搬送される周期ＣＳＩフィードバックの送信のために選択される選択された仮想セル識別子は、フィードバック構成の一部として構成され得る。いくつかの実施形態では、他のアップリンク制御情報と多重化されたＰＵＣＣＨを送信するために選択される仮想セル識別子は、多重化された送信の他の構成要素または多重化された送信自体に基づき得る。
【００７７】
[0086]いくつかの実施形態では、セル識別子８０８は、特にフォールバック動作中に使用するために、および／または、仮想セル識別子の再構成が開始されるときはいつでも、あいまいさを回避するために、１つまたは複数の仮想セル識別子に加えて１つまたは複数の物理セル識別子を備え得る。たとえば、動的選択とともに使用される仮想セル識別子のセットがＲＲＣ８１０を通して構成されるとき、物理セル識別子が使用され得る。
【００７８】
[0087]いくつかの実施形態では、アップリンク動作のために使用される１つまたは複数の仮想セル識別子は、仮想セルＩＤの代わりに一緒に使用されるパラメータのセットを選択するためのインデックスによってそれぞれ置き換えられ得る。パラメータのセットは、仮想セルの１つまたは複数の特性を定義し得る。パラメータのセットは、さもなければ仮想セルによって定義されるであろう特性、属性、パラメータおよび／または挙動を個々に定義し得る。特に、このパラメータのセットは、擬似ランダムシーケンス発生器を開始するためのＮIDCELLの代わりになり得る値ＮIDBSIと、（ＳＨおよびＳＧＨ初期化を含む）グループ番号（ｕ）およびシーケンスインデックス（ｖ）発生式の代わりになり得るＤSSBSIと、ＣＳＨ初期化（ｎPN（ｎS））において代替ｃinitとして働き得るｃinitCSHとを含み得る。
【００７９】
[0088]以下の表１に、インデックス、セル識別子または他の情報が、本発明のいくつかの態様に従ってｅＮＢ８０４からＵＥ８０２にシグナリングされ得る方法を記述する。
【表１】
2015513878.tif 000008
【００８０】
[0089]図９は、ワイヤレス通信の方法のフローチャート９００である。本方法はＵＥ８０２によって実行され得る。ステップ９０２において、ＵＥ８０２は、ＲＲＣシグナリングを通して複数のセル識別子を受信する。いくつかの実施形態では、ＵＥ８０２は、ＲＲＣ８１０シグナリングを通して他の構成情報を受信し得る。
【００８１】
[0090]ステップ９０４において、ＵＥ８０２は、ＤＣＩ８２８を含む信号を受信する。ＤＣＩ８２８は、ｅＰＤＣＣＨ８２２またはＰＤＣＣＨ８２０中で受信され得る。いくつかの実施形態では、信号を受信することは、候補制御チャネル（ＣＣＥ）の少なくとも２つのセットのうちのＣＣＥの第１のセット中でＤＣＩ８２８を受信することを含む。選択されたセル識別子は、少なくとも部分的に、ＤＣＩ８２８が受信されたＣＣＥのセットに基づいて選択され得る。
【００８２】
[0091]ステップ９０６において、ＵＥ８０２は、ＤＣＩに関連する１つまたは複数のプロパティに基づいて複数のセル識別子のうちの１つを選択する。いくつかの実施形態では、１つまたは複数のプロパティは、セル識別子を判断することにのみ関連するのではない。プロパティは、ＤＣＩ８２８が配信される制御チャネルと、ＤＣＩ８２８のタイプと、ＤＣＩ８２８を搬送するサブフレームタイプとを含み得る。
【００８３】
[0092]ステップ９０８において、ＤＣＩフォーマットタイプがインデックスまたは他のインジケータを搬送するビットを与える場合、ＵＥ８０２は、それらのビットを使用してセル識別子を選択し得、ＵＥ８０２は、ステップ９２２において、選択されたセル識別子を使用して擬似ランダムシーケンス発生器を初期化する。
【００８４】
[0093]ＤＣＩフォーマットタイプがインデックスまたは他のインジケータの直接シグナリングをサポートしない場合、ステップ９１０において、ＵＥ８０２は、ＤＣＩ８２８がｅＰＤＣＣＨ８２２中で搬送されるかどうかを判断する。ＤＣＩ８２８がＰＤＣＣＨ８２０中で搬送される場合、ＵＥ８０２は、ステップ９１２において、ＤＣＩがＭＢＳＦＮサブフレーム８２４中で搬送されると判断されたかどうかに基づいて、セル識別子を判断し得る。ＭＢＳＦＮサブフレーム８２４が、使用されるサブフレームのタイプである場合、ＵＥ８０２は、ステップ９２４において、所定のセル識別子を使用して擬似ランダムシーケンス発生器を初期化する。そうでない場合、ＵＥ８０２は、ステップ９１８において、物理セル識別子を使用して擬似ランダム発生器を初期化する。
【００８５】
[0094]ステップ９１４において、ｅＰＤＣＣＨ８２２がｅＰＤＣＣＨスクランブリング識別子でスクランブルされるかどうかを判断し、そうである場合、ステップ９２０において、ＵＥ８０２が、擬似ランダムシーケンス発生器を初期化するためにｅＰＤＣＣＨスクランブリング識別子を使用すべきかどうかを判断する。ＵＥ８０２が、仮想セル識別子として、または擬似ランダム発生器を初期化するために、ｅＰＤＣＣＨスクランブリング識別子を使用すべきでないと判断された場合、ステップ９１６において、ＵＥ８０２は、発生器が、ステップ９２２において、ｅＰＤＣＣＨ中で送信されたビットを使用して初期化されるべきなのか、ステップ９２４において、所定の識別子を使用して初期化されるべきなのかを判断する。
【００８６】
[0095]いくつかの実施形態では、ＤＣＩ８２８はアップリンク許可を含む。選択されたセル識別子は、アップリンク許可に対応するアップリンク送信のために使用され得る。
【００８７】
[0096]いくつかの実施形態では、チャネル状態情報（ＣＳＩ）が、選択されたセル識別子に基づいて与えられ得る。
【００８８】
[0097]図１０は、ワイヤレス通信の方法のフローチャート１０００を含む。本方法はＵＥ８０２によって実行され得る。ステップ１００２において、ＵＥ８０２は、アップリンク許可を含むＤＣＩを含む信号を受信する。ＤＣＩは、ＰＤＣＣＨまたはｅＰＤＣＣＨのうちの１つ中で受信され得る。ステップ１００４において、ＵＥ８０２は、許可を与える制御チャネルがＰＤＣＣＨであるかどうかを判断し、そうである場合、ステップ１０１２において、制御領域においてＰＨＩＣＨを識別する。ステップ１００４において、ＵＥが、制御チャネルがｅＰＤＣＣＨであると判断した場合、ＵＥは、ステップ１００６において、データ領域においてｅＰＨＩＣＨを識別する。
【００８９】
[0098]ステップ１００８において、ＵＥ８０２は、ＤＣＩに関連するプロパティに基づいて複数のセル識別子のうちの１つを選択する。プロパティは、セル識別子を判断することのみに関係するのではないことがある。
【００９０】
[0099]ステップ１０１０において、ＵＥ８０２は、選択されたセル識別子に基づいて肯定応答または否定応答を与える。
【００９１】
[00100]図１０は、ワイヤレス通信の方法のフローチャート１０２０を含む。本方法はＵＥ８０２によって実行され得る。ステップ１０２２において、ＵＥ８０２は、ＤＣＩのフォーマットタイプに基づいてインデックスを判断する。ステップ１０２４において、ＵＥは、インデックスに基づいてパラメータの複数のセットからパラメータのセットを選択する。パラメータのセットは、仮想セルの１つまたは複数の特性を定義し得る。パラメータの複数のセットはＲＲＣシグナリングを通して構成される。
【００９２】
[00101]ステップ１０２６において、ＵＥ８０２は、選択されたパラメータのセットの１つのパラメータを使用して擬似ランダムシーケンス発生器を初期化する。パラメータのセットは、アップリンク通信チャネルの特性を定義するために使用され得る。
【００９３】
[00102]図１１は、ワイヤレス通信の方法のフローチャート１１００を含む。本方法はｅＮＢ８０４によって実行され得る。ステップ１１０２において、ｅＮＢ８０４は、無線リソース制御（ＲＲＣ）シグナリング中の複数の識別子をＵＥ８０２に与える。示されたセル識別子は、複数の識別子８０８のうちの１つであり得る。
【００９４】
[00103]ｅＮＢ８０４は、ＤＣＩの１つまたは複数のプロパティを構成する。ＵＥ８０２は、構成されたプロパティによって示されるセル識別子を判断するように適応され得る。ただし、構成されたプロパティは、セル識別子を判断することのみに関連するのではないことがある。ＵＥ８０２は、擬似ランダムシーケンス発生器を初期化するために、示されたセル識別子を使用するように適応され得る。ステップ１１０４において、ｅＮＢ８０４はＤＣＩのフォーマットタイプを構成する。ステップ１１０６において、ｅＮＢ８０４は、ＤＣＩを搬送するための制御チャネルを選択する。ＤＣＩは、ｅＰＤＣＣＨスクランブリング識別子でスクランブルされたｅＰＤＣＣＨ中で送信され得、示されたセル識別子は、ＤＣＩがタイプ１Ａフォーマットを有するとき、ｅＰＤＣＣＨスクランブリング識別子であり得る。
【００９５】
[00104]ステップ１１０８において、ｅＮＢ８０４は、ＤＣＩのためのサブフレームタイプを選択する。ＤＣＩは、ＭＢＳＦＮサブフレームまたは非ＭＢＳＦＮサブフレーム中で与えられ得る。セル識別子は、サブフレームタイプに基づいて示され得る。ＤＣＩはアップリンク許可を含み得、示されたセル識別子は、アップリンク許可に対応するアップリンク送信のために使用され得る。選択されたセル識別子は、ＣＳＩを与えるために使用され得る。
【００９６】
[00105]ステップ１１１０において、ｅＮＢ８０４は、ＤＣＩを含む信号をＵＥ８０２に送信する。
【００９７】
[00106]図１１は、ワイヤレス通信の方法のフローチャート１１２０を含む。本方法はｅＮＢ８０４によって実行され得る。ステップ１１２２において、ｅＮＢ８０４は、ＤＣＩの１つまたは複数のプロパティを構成する。ＵＥ８０２は、構成されたプロパティに基づいて、ＰＨＩＣＨがｅＮＢ８０４によって送信されるロケーションを判断するように適応され得る。
【００９８】
[00107]ステップ１１２４において、ｅＮＢ８０４は、アップリンク許可を含むＤＣＩを含む信号をＵＥ８０２に送信する。ＤＣＩは、ＰＤＣＣＨまたはｅＰＤＣＣＨのうちの１つ中で送信され得る。
【００９９】
[00108]ステップ１１２６において、ｅＮＢ８０４は、アップリンク許可に従って、ＵＥからアップリンクデータまたは制御送信を受信する。
【０１００】
[00109]ステップ１１２８において、ｅＮＢ８０４は、許可がＰＤＣＣＨ中で与えられたのかｅＰＤＣＣＨ中で与えられたのかに基づいて、制御領域においてＰＨＩＣＨ中でまたはデータ領域においてｅＰＨＩＣＨ中でＡＣＫまたはＮＡＣＫを送る。
【０１０１】
[00110]図１２は、例示的な装置１２０２中の異なるモジュール／手段／構成要素間のデータフローを示す概念データフロー図１２００である。本装置はＵＥであり得る。装置１２０２は、ＤＣＩを受信するモジュール１２０４と、セル識別子を選択するモジュール１２０６と、ランダムシーケンス発生器を初期化するモジュール１２０８と、ＲＲＣを受信するモジュール１２１０と、ＣＳＩフィードバックを与えるモジュール１２１２と、トランシーバ１２５０を使用してｅＮＢ８０４に送信するモジュール１２１４とを含む。
【０１０２】
[00111]本装置は、上述のフローチャート図９および図１０中のアルゴリズムのステップの各々を実行する追加のモジュールを含み得る。したがって、上述のフローチャート図９および図１０の中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０３】
[00112]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４、モジュール１２０４、１２０６、１２０８、１２１０、１２１２、および１２１４、ならびにコンピュータ可読媒体１３０６によって表される１つまたは複数のプロセッサおよび／またはハードウェアモジュールを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【０１０４】
[00113]処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。処理システム１３１４は、コンピュータ可読媒体１３０６に結合されたプロセッサ１３０４を含む。プロセッサ１３０４は、コンピュータ可読媒体１３０６に記憶されたソフトウェアの実行を含む一般的な処理を担当する。ソフトウェアは、プロセッサ１３０４によって実行されたとき、処理システム１３１４に、特定の装置のための上記で説明した様々な機能を実行させる。コンピュータ可読媒体１３０６はまた、ソフトウェアを実行するときにプロセッサ１３０４によって操作されるデータを記憶するために使用され得る。処理システムは、モジュール１２０４、１２０６、１２０８、１２１０、１２１２、および１２１４のうちの少なくとも１つをさらに含む。それらのモジュールは、プロセッサ１３０４中で動作するか、コンピュータ可読媒体１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１０５】
[00114]一構成では、ワイヤレス通信のための装置１２０２／１２０２’は、ＤＣＩを含む信号を受信するための手段１２０４と、ＤＣＩに関連する１つまたは複数のプロパティに基づいて複数のセル識別子のうちの１つを選択するための手段１２０６と、選択されたセル識別子に基づいて擬似ランダムシーケンス発生器を初期化するための手段１２０８と、ＲＲＣシグナリングを介して複数のセル識別子を受信するための手段１２１０と、選択されたセル識別子に基づいてＣＳＩを与えるための手段１２１２と、ｅＮＢ８０４に情報を送信するための手段１２１４とを含む。
【０１０６】
[00115]いくつかの実施形態では、１つまたは複数のプロパティは、セル識別子を判断することにのみ関連するのではない。いくつかの実施形態では、ＤＣＩはｅＰＤＣＣＨ中で受信される。ｅＰＤＣＣＨは、ｅＰＤＣＣＨスクランブリング識別子でスクランブルされ得る。いくつかの実施形態では、手段１２０６は、ＤＣＩのフォーマットのタイプを判断し、ＤＣＩがタイプ１Ａフォーマットを有するとき、ｅＰＤＣＣＨスクランブリング識別子に基づいて、選択されたセル識別子を選択する。いくつかの実施形態では、手段１２０６は、ＤＣＩのフォーマットのタイプを判断し、ＤＣＩがタイプ１Ａフォーマットを有するとき、所定のセル識別子を選択する。いくつかの実施形態では、手段１２０６は、ＤＣＩが受信されたサブフレームタイプを判断し、さらに、サブフレームがＭＢＳＦＮサブフレームであるのか非ＭＢＳＦＮサブフレームであるのかを判断する。セル識別子は、少なくとも部分的にサブフレームタイプに基づいて選択され得る。
【０１０７】
[00116]いくつかの実施形態では、手段１２０４は、候補制御チャネル（ＣＣＥ）の少なくとも２つのセットのうちのＣＣＥの第１のセット中のＤＣＩを受信し、選択されたセル識別子は、少なくとも部分的に、ＤＣＩが受信されたＣＣＥのセットに基づいて選択され得る。ＤＣＩはアップリンク許可を含み得る。いくつかの実施形態では、選択されたセル識別子は、アップリンク許可に対応するアップリンク送信のために使用される。
【０１０８】
[00117]上述の手段は、上述の手段によって具陳された機能を実行するように構成された、装置１２０２および／または装置１２０２’の処理システム１３１４の上述のモジュールのうちの１つまたは複数であり得る。上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【０１０９】
[00118]図１４は、例示的な装置１４０２中の異なるモジュール／手段／構成要素間のデータフローを示す概念データフロー図１４００である。本装置は、ｅＮＢ８０４であり得る。本装置は、ＤＣＩ８２８を構成するモジュール１４０４と、ＤＣＩ８２８を搬送するためにＰＤＣＣＨ８２０またはｅＰＤＣＣＨ８２２のうちの１つを選択するモジュール１４０６と、ＤＣＩ８２８を送信するためにＭＢＳＦＮサブフレーム８２４と非ＭＢＳＦＮサブフレーム８２６との間で選択するモジュール１４０８と、ＲＲＣ８１０中で静的にまたは半静的に構成されたパラメータを与えるためのモジュール１４１０と、トランシーバ１４５０を通してＤＣＩ８２８とＲＲＣ８１０とをＵＥ８０２に送信する送信モジュール１４１２とを含む。
【０１１０】
[00119]本装置は、図１１の上述のフローチャート中のアルゴリズムのステップの各々を実行する追加のモジュールを含み得る。したがって、図１１の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１１】
[00120]図１５は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４、モジュール１４０４、１４０６、１４０８、１４１０、１４１２、およびコンピュータ可読媒体１５０６によって表される１つまたは複数のプロセッサおよび／またはハードウェアモジュールを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【０１１２】
[00121]処理システム１５１４はトランシーバ１５１０に結合され得る。トランシーバ１５１０は、１つまたは複数のアンテナ１５２０に結合される。トランシーバ１５１０は、伝送媒体を介して様々な他の装置と通信するための手段を与える。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担当する。ソフトウェアは、プロセッサ１５０４によって実行されたとき、処理システム１５１４に、特定の装置のための上記で説明した様々な機能を実行させる。コンピュータ可読媒体１５０６はまた、ソフトウェアを実行するときにプロセッサ１５０４によって操作されるデータを記憶するために使用され得る。処理システムは、モジュール１４０４、１４０６、１４０８、１４１０、および１４１２のうちの少なくとも１つをさらに含む。それらのモジュールは、プロセッサ１５０４中で動作するか、コンピュータ可読媒体１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【０１１３】
[00122]一構成では、ワイヤレス通信のための装置１４０２／１４０２’は、ＤＣＩ８２８の１つまたは複数のプロパティを構成するための手段１４０４を含む。ＵＥ８０２は、構成されたプロパティによって示されるセル識別子を判断するように適応され得る。構成されたプロパティは、セル識別子を判断することのみに関連するのではないことがある。手段１４０４は、ＤＣＩ８２８のフォーマットタイプを構成し得る。手段１４０４は、ＤＣＩ８２８を送信するための制御チャネルを選択し得、それにより、セル識別子は、少なくとも部分的に制御チャネル選択によって示される。
【０１１４】
[00123]ワイヤレス通信のための装置１４０２／１４０２’は、ＤＣＩ８２８を含む信号をＵＥ８０２に送信するための手段１４１２を含み得る。
【０１１５】
[00124]ワイヤレス通信のための装置１４０２／１４０２’は、ＵＥ８０２にシグナリングするＲＲＣ８１０中で複数の識別子８０８を与えるための手段１４１０であって、それにより、示されたセル識別子が複数の識別子８０８のうちの１つである、与えるための手段１４１０を含み得る。ＵＥ８０２は、擬似ランダムシーケンス発生器を初期化するために、示されたセル識別子を使用するように適応され得る。
【０１１６】
[00125]ワイヤレス通信のための装置１４０２／１４０２’は、ｅＰＤＣＣＨスクランブリング識別子でスクランブルされたｅＰＤＣＣＨ８２２中でＤＣＩ８２８を送信するための手段１４０６を含み得る。示されたセル識別子は、たとえば、ＤＣＩ８２８がタイプ１Ａフォーマット８１４を有するとき、ｅＰＤＣＣＨスクランブリング識別子に等しいことがある。いくつかの実施形態では、示されたセル識別子は、ＤＣＩ８２８がタイプ１Ａフォーマット８１４を有するとき、所定のセル識別子である。
【０１１７】
[00126]ワイヤレス通信のための装置１４０２／１４０２’は、ＭＢＳＦＮサブフレーム８２４および非ＭＢＳＦＮサブフレーム８２６のうちの１つ中でＤＣＩ８２８を送信するための手段１４０８を含み得る。セル識別子は、サブフレームタイプ８２４または８２６に基づいて示され得る。
【０１１８】
[00127]いくつかの実施形態では、ＤＣＩ８２８はアップリンク許可を含み、示されたセル識別子は、アップリンク許可に対応するアップリンク送信のために使用され得る。いくつかの実施形態では、選択されたセル識別子は、ＣＳＩを与えるために使用されるべきである。いくつかの実施形態では、手段１４１２は、許可がＰＤＣＣＨ８２０中で与えられたとき、制御領域においてＰＨＩＣＨ中でＡＣＫまたはＮＡＣＫを送信し、許可がｅＰＤＣＣＨ８２２中で与えられたとき、データ領域において拡張ＰＨＩＣＨ中でＡＣＫまたはＮＡＣＫを送信する。
【０１１９】
[00128]上述の手段は、上述の手段によって具陳された機能を実行するように構成された、装置１４０２および／または装置１４０２’の処理システム１５１４の上述のモジュールのうちの１つまたは複数であり得る。上記で説明したように、処理システム１５１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【０１２０】
[00129]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【０１２１】
[00130]以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015513878.tif 000009
【図２】
2015513878.tif 000010
【図３】
2015513878.tif 000011
【図４】
2015513878.tif 000012
【図５】
2015513878.tif 000013
【図６】
2015513878.tif 000014
【図７】
2015513878.tif 000015
【図８】
2015513878.tif 000016
【図９】
2015513878.tif 000017
【図１０】
2015513878.tif 000018
【図１１】
2015513878.tif 000019
【図１２】
2015513878.tif 000020
【図１３】
2015513878.tif 000021
【図１４】
2015513878.tif 000022
【図１５】
2015513878.tif 000023
【国際調査報告】
2015513878.tif 000024
2015513878.tif 000025
2015513878.tif 000026
2015513878.tif 000027
2015513878.tif 000028